(57)【要約】【課題】            電子や電気機器の電源への接続用プラグを、コンセント即ち電源接続装置の複数の電源接続部に差し込み、電子や電気機器への電源の供給を可能にする。各電源接続部のプラグの爪受け開口の向きが一定方向となっているので、機器の向きによっては該開口へのプラグの刃の差し込みが不便となっている。【解決手段】        ケース本体（５）の対の導電板（９，１０）に固定端子（１３，１４）を支持させる。ケース本体（５）に対して、爪受け端子（１１，１２）と開口（１６，１６）を有する電源接続部（６）を回動自在に支持し、固定端子（１３，１４）に爪受け端子（１１，１２）を回動させながら電気的接続を可能とさせる。【選択図】          図１
2005056758.tif 000002
【特許請求の範囲】
【請求項１】
コードを介してケースに接続されかつその内部にコードに電気的に接続された対の導電体を有するケース本体と、対の刃受け端子と他の機器のプラグの刃を差し込み可能とする対の開口を有する電源接続部を有し、各導電体と対応する刃受け端子とを電気的に接続した状態で電源接続部をケース本体に対して可動自在としたことを特徴とする電源接続装置。
【請求項２】
ケース本体が離間して配された壁部を有し、隣り合う壁部間に電源接続部を可動自在に配した請求項１記載の電源接続装置。
【請求項３】
導電体と爪受け端子との間に導電板に固定した固定端子を介在させ、爪受け端子を固定端子にカシメピンを介して回動自在にかつ電気的に接続可能に支持させている請求項２記載の電源接続装置。
【請求項４】
固定端子が壁部の側面に埋設されている請求項３記載の電源接続装置。
【発明の詳細な説明】
【技術分野】
【０００１】
本発明は、可動自在な電源接続部を有する電源接続装置に関する。
【背景技術】
【０００２】
電子機器、例えばパソコン、プリンター、モニタテレビ、モデム等のＯＡ機器の電源プラグ、或いは家庭用電気製品に加えて、ステレオ本体、ＣＤプレーヤー、ＡＣアダプター等の電源プラグを、電源に接続するために、複数個の電源接続部（リセプタクル、コンセント）を有する電源接続装置が用いられる。
【０００３】
電子機器や家庭用電気製品のプラグ付きの電源コードの長さは予め決められて出荷されるが、これら機器の設置場所によっては該電源コードのプラグが建屋の定位置に設置した電源に届かないことが多い。
この場合、定位置の電源と電子機器や家庭用電気製品の電源コードのプラグとの間に、電源接続装置を介在させ、電子機器や家庭用電気製品等への電源の供給を行っている。
【０００４】
電源接続装置は、一端にプラグを有する延長コードと、プラグの他端に設けられた合成樹脂製のケースと、ケース内に組み込まれた対の刃受け端子からなる複数個の電源接続部とからなる。
【０００５】
【特許文献１】実用新案登録第３０４９７２３号公報
【特許文献２】実用新案登録第３０６２８３０号公報
【特許文献３】特開平１１−２５０９９８号公報
【特許文献４】特開平１１−８０３２号公報
【発明の開示】
【発明が解決しようとする課題】
【０００６】
前述した電源接続装置の電源接続部は、延長コードの対の電源に個別に接続された対の刃受け端子を複数個有し、該刃受け端子は、ケースに設けた対の開口を介して差し込まれたプラグと電気的に接続され、電子機器や家庭用電気製品への電源の供給を可能としている。
【０００７】
ケースに設けたプラグの刃を受ける開口はケースの外壁に穿けられており、その向きは固定となっている。
このため、電子機器や家庭用電気製品の設置場所によっては、その電源コードのプラグの向きが、ケースの開口の向きと不一致となり、該開口へのプラグの差し込みに不便を生じ、又、電源コードにねじれを作り、断線の危険があって好ましくない。
【０００８】
それ故に、本発明は前述した従来技術の不具合を解消させることを解決すべき課題とする。
【課題を解決するための手段】
【０００９】
本発明は、前述した課題を解決するために、電源接続装置のケース本体に可動な部分を複数作り、これら可動な部分としての電源接続部（コンセント）にプラグの刃を受ける対の開口、該開口と協働する刃受け端子を配する構成を採用する。
【００１０】
この構成は、個々の電源接続部をケース本体に対して可動させ、電源プラグの向きに開口を向けることができ、プラグの差し込みを容易にし、電源コードのねじれを防止できる。
【００１１】
本発明によれば、コードを介してケースに接続されかつその内部にコードに電気的に接続された対の導電体を有するケース本体と、対の刃受け端子と他の機器のプラグの刃を差し込み可能とする対の開口を有する電源接続部を有し、各導電体と対応する刃受け端子とを電気的に接続した状態で電源接続部をケース本体に対して可動自在としたことを特徴とする電源接続装置が提供される。
【発明の効果】
【００１２】
本発明によれば、電源接続部をケース本体に対して可動とさせているので、プラグの刃差し込み用の開口の向きを任意方向に向けられるので、該開口へのプラグの刃の差し込み作業が容易となり、プラグコードのねじれがなく、断線の危険を解消できる。
【発明を実施するための最良の形態】
【００１３】
電源接続装置１は、図１と図２に示すように、一端にプラグ２を有するコード３と、コード３の他端に接続されたケース４とを備える。ケース４は、静止部材としてのケース本体５と、ケース本体５に対して可動自在に枢支された複数個の電源接続部６とからなる。
【００１４】
ケース本体５は、合成樹脂からなり、複数個の離間した壁部７と、その底部を互いに結合する平坦部８と、対の離間した細長い導電板９，１０とを備え、導電板９，１０にコード３の正・負の電線が夫々接続（図２参照）される。
【００１５】
ケース本体５の壁部７間に可動自在に配される各電源接続部６は、合成樹脂製の箱形をなし、その内部に配される対の爪受け端子１１，１２と、電子機器や家庭用電気製品等の電源用プラグの刃を受け、その刃を導電材からなる端子１１，１２に電気的に接続するための開口１６，１６を有す（図１、図３参照）。
【００１６】
導電板９に導電材からなる略Ｌ字状の固定端子１３を複数個離間して固着する。導電板１０に導電材からなる略Ｌ字状の固定端子１４を複数個離間して固着する。
固定端子１３を壁部７の一方の側面に埋設し、固定端子１４を向かい合う壁部７の側面に対向するよう埋設する。
【００１７】
固定端子１３と刃受け端子１１とは導電材からなるカシメピン１５を用い電気的接続関係にかつ相対的に可動自在に保持させる。固定端子１４と刃受け端子１２とはカシメピン１５を用いて電気的に接続関係にかつ相対的に可動自在に保持される。
この結果、各電源接続部６は、ケース本体５の平坦部８と隣り合う壁部７，７間のスペースを角度にして１８０度回動自在となる（図１、図４、図５参照）。
【００１８】
刃受け端子１１，１２と固定端子１３，１４との電気的接続は一方の端子に突部を設け、両者の接触を弾力的にさせると良い。これにより、カシメピン１５と突部とによる両端子の電気的接触が可能となる。
【００１９】
使用に際して、電子機器や電気製品のプラグの爪を開口１６，１６に差し込み、該刃を刃受け端子１１，１２に接触させる。刃受け端子１１，１２は、カシメピン１５，１５及び又は突部（図示なし）を介して固定端子１３，１４、導電板９，１０、プラグ２に電気的に接続され、電源の供給を可能にする。
【００２０】
電源接続部６は任意方向に１８０度（角度）回動自在であるので、開口１６，１６の向きを自由に選択でき極めて便利である。
【図面の簡単な説明】
【００２１】
【図１】本発明の一例の電源接続装置の斜視図である。
【図２】図１に示す例の平面図である。
【図３】電源接続部とその周辺の構成を示す部分斜視図である。
【図４】図２の矢視IV−IVより見た断面図である。
【図５】図２の矢視Ｖ−Ｖよりみた断面図である。
【符号の説明】
【００２２】
２    プラグ
３    コード
４    ケース
５    ケース本体
６    電源接続部
７    壁部
８    平坦部
９，１０    導電板
１１，１２    爪受け端子
１３，１４    固定端子
１５    カシメピン
１６    開口
【図１】
2005056758.tif 000003
【図２】
2005056758.tif 000004
【図３】
2005056758.tif 000005
【図４】
2005056758.tif 000006
【図５】
2005056758.tif 000007